(57)【要約】【課題】簡単な構造で、ガラス壁面の面外方向の層間変位に追従できる、リブ板ガラスを用いた板ガラスの支持構造を提供すること。【解決手段】リブ板ガラス３には、リブ板ガラス３の板厚方向に貫通する２個の貫通孔５、５が垂直方向に並ぶように穿設され、支持部材７には、貫通孔５、５に対峙するように２個の貫通孔１１、１１ａが穿設されている。リブ板ガラス３と支持部材７の対応する貫通孔には、挿通部材（不図示）が挿通され、リブ板ガラス３と支持部材７とが緊結されている。ここで、貫通孔１１、１１ａのうち、上側に位置する貫通孔１１ａは、挿通部材の径より大きな長径を水平方向に配した長孔とされている。一方、貫通孔５、５、および貫通孔１１は、挿通部材の径と略同径とされている。【選択図】図１
2004293099.tif 000002
【特許請求の範囲】
【請求項１】
板ガラスの対向する２辺をサッシ枠に支持し、隣り合う板ガラスの非支持辺どうしを突き合わせてガラス壁面を構成し、隣り合う板ガラスどうしの間の目地部にこれら板ガラスと直交しかつ目地部に沿う方向にリブ板ガラスを配設し、リブ板ガラスの板厚方向に貫通するｎ個（ただしｎは２以上の自然数）の貫通孔をリブ板ガラスに穿設し、リブ板ガラスの貫通孔に対峙するように穿設されたｎ個の貫通孔を有する支持部材とリブ板ガラスとを、それぞれの対峙する貫通孔に挿通される挿通部材で緊結した板ガラスの支持構造において、リブ板ガラスに穿設されたｎ個の貫通孔と支持部材に穿設された貫通孔のうちの１個とを挿通部材と略同径とし、支持部材に穿設された貫通孔のうちの残る（ｎ−１）個を挿通部材より大径とすることを特徴とする板ガラスの支持構造。
【請求項２】
板ガラスの対向する２辺をサッシ枠に支持し、隣り合う板ガラスの非支持辺どうしを突き合わせてガラス壁面を構成し、隣り合う板ガラスどうしの間の目地部にこれら板ガラスと直交しかつ目地部に沿う方向にリブ板ガラスを配設し、リブ板ガラスの板厚方向に貫通するｎ個（ただしｎは２以上の自然数）の貫通孔をリブ板ガラスに穿設し、リブ板ガラスの貫通孔に対峙するように穿設されたｎ個の貫通孔を有する支持部材とリブ板ガラスとを、それぞれの対峙する貫通孔に挿通される挿通部材で緊結した板ガラスの支持構造において、リブ板ガラスに穿設された貫通孔のうちの１個と支持部材に穿設されたｎ個の貫通孔とを挿通部材と略同径とし、リブ板ガラスに穿設された貫通孔のうちの残る（ｎ−１）個を挿通部材より大径とすることを特徴とする板ガラスの支持構造。
【発明の詳細な説明】
【０００１】
【発明の属する技術分野】
本発明は板ガラスの支持構造に関わり、特に複数枚の板ガラスを隣り合うように突き合わせてガラス壁面を構成する板ガラスの支持構造に関する。
【０００２】
【従来の技術】
近年、カーテンウォール構法などの外壁構法により、板ガラスを建築物の躯体に支持させて、ガラス壁面を構築する例が、採光、視界の良好さなどの点から増加している。
【０００３】
従来の板ガラスの支持構造の一例を図１４〜１７に示す。図１４は従来の板ガラスの支持構造の斜視図、図１５は図１４の板ガラスの支持構造における建築物の躯体とリブ板ガラスとの取付状態を示す垂直断面図、図１６は図１４の板ガラスの支持構造における建築物の躯体とリブ板ガラスとの取付状態を示す側面図、図１７は図１４の板ガラスの支持構造におけるリブ板ガラスと支持部材との取付状態を示す分解斜視図である。
【０００４】
この例では、直立した複数枚の板ガラス１、１、…の対向する上下辺を建築物の躯体に固定された上下の支持枠（サッシ枠）１２によって支持し、隣り合う板ガラス１、１の非支持辺どうしを突き合わせて、建築物の室内Ａ側と室外Ｂ側とを仕切るガラス壁面２を構成している。板ガラス１の室内Ａ側には、板ガラス１に対して直交し、かつ、隣り合う板ガラス１、１の目地部（突き合わせ部）の上側寄り部分に沿うようにリブ板ガラス３が配置されている。隣接する板ガラス１、１の間、および板ガラス１とリブ板ガラス３との間には、シーリング材４が充填され、シーリング材４によって板ガラス１とリブ板ガラス３とが相互に接着されている。
【０００５】
リブ板ガラス３の上部付近には、建築物の躯体６に固定された支持部材７が、緩衝材８を介してリブ板ガラス３を挟んで対向している。支持部材７のフランジ部９には、貫通孔１０が穿設されており、貫通孔１０を挿通するボルト（図示せず）によって建築物の躯体６に固定されている。また、リブ板ガラス３は、リブ板ガラス３の貫通孔５ならびに貫通孔５に対峙するように穿設された支持部材７の貫通孔１１に挿通されるピンやボルトなどの挿通部材（図示せず）によって、支持部材７に緊結され、建築物の躯体６に固定されている。
【０００６】
例えば、特許文献１には、躯体の天井と床との間にリブガラスを立設し、このリブガラスの一側辺に面ガラスを該リブガラスと直交方向に取り付けた施工構造が開示されている。該リブガラスの上端部には金属製フレームが冠着され、ボルトを該フレームおよびガラスに串通して螺着し、該フレームと躯体天井に固着されたピンプレートとをボルトで螺着することで、該リブガラスを躯体に固定している。
【０００７】
【特許文献１】
実開昭６３−１３２００８号公報
【０００８】
【発明が解決しようとする課題】
従来の板ガラスの支持構造では、リブ板ガラス３の上端部は複数の貫通孔５、５、…に挿通される不図示のピンやボルトなどの挿通部材により支持されているため、建築物の躯体６が地震力等によりガラス壁面２の面外方向（板ガラス１の板厚方向）の層間変位を受ける際、板ガラス１の上端部とリブ板ガラス３の上端部において、挿通部材を回転中心とした回転方向の変位が拘束されてしまう。そのため、ガラス壁面２の面外方向（板ガラス１の板厚方向）の層間変位に追従できず、板ガラス１とリブ板ガラス３との間のシーリング材４の破損や板ガラス１の損傷が生じることが懸念される。
【０００９】
本発明はこのような事情に鑑みてなされたもので、簡単な構造で、ガラス壁面の面外方向の層間変位に追従できる、リブ板ガラスを用いた板ガラスの支持構造を提供することを目的としている。
【００１０】
【課題を解決するための手段】
本発明は、前記目的を達成するために、板ガラスの対向する２辺をサッシ枠に支持し、隣り合う板ガラスの非支持辺どうしを突き合わせてガラス壁面を構成し、隣り合う板ガラスどうしの間の目地部にこれら板ガラスと直交しかつ目地部に沿う方向にリブ板ガラスを配設し、リブ板ガラスの板厚方向に貫通するｎ個（ただしｎは２以上の自然数）の貫通孔をリブ板ガラスに穿設し、リブ板ガラスの貫通孔に対峙するように穿設されたｎ個の貫通孔を有する支持部材とリブ板ガラスとを、それぞれの対峙する貫通孔に挿通される挿通部材で緊結した板ガラスの支持構造において、リブ板ガラスに穿設されたｎ個の貫通孔と支持部材に穿設された貫通孔のうちの１個とを挿通部材と略同径とし、支持部材に穿設された貫通孔のうちの残る（ｎ−１）個を挿通部材より大径とすることを特徴とする板ガラスの支持構造を提供する。
【００１１】
また、本発明は、板ガラスの対向する２辺をサッシ枠に支持し、隣り合う板ガラスの非支持辺どうしを突き合わせてガラス壁面を構成し、隣り合う板ガラスどうしの間の目地部にこれら板ガラスと直交しかつ目地部に沿う方向にリブ板ガラスを配設し、リブ板ガラスの板厚方向に貫通するｎ個（ただしｎは２以上の自然数）の貫通孔をリブ板ガラスに穿設し、リブ板ガラスの貫通孔に対峙するように穿設されたｎ個の貫通孔を有する支持部材とリブ板ガラスとを、それぞれの対峙する貫通孔に挿通される挿通部材で緊結した板ガラスの支持構造において、リブ板ガラスに穿設された貫通孔のうちの１個と支持部材に穿設されたｎ個の貫通孔とを挿通部材と略同径とし、リブ板ガラスに穿設された貫通孔のうちの残る（ｎ−１）個を挿通部材より大径とすることを特徴とする板ガラスの支持構造を提供する。
【００１２】
本発明の板ガラスの支持構造によれば、支持部材またはリブ板ガラスの（ｎ−１）個の貫通孔を挿通部材より大径としているので、ガラス壁面が面外方向の層間変位を受けた場合、挿通部材と略同径とした支持部材またはリブ板ガラスの１個の貫通孔に挿通される挿通部材を回転中心としたリブ板ガラスの微小な回転方向の変位が許容され、ガラス壁面の面外方向の層間変位に追従できる板ガラスの支持構造が得られる。
【００１３】
なお、リブ板ガラスは、ガラス壁面を構成する板ガラスの高さ方向で下端から上端までの全高さに亘って設けられる場合と、上側寄り部分にのみ設けられる場合とがあるが、前者の場合にはリブ板ガラスの上下端がサッシ枠によって支持されたり、上下端それぞれにおいて単一の挿通部材のみで固定されることが多い。したがって本発明は、上側寄り部分にのみリブ板ガラスが設けられる場合に用いるのが、特に好ましい。
【００１４】
【発明の実施の形態】
以下、本発明に係る板ガラスの支持構造の好ましい実施の形態を、図面に基づいて説明する。
【００１５】
本発明の板ガラスの支持構造の実施の形態の一例を図１〜４に示す。図１は本発明の板ガラスの支持構造の斜視図、図２は図１の板ガラスの支持構造における建築物の躯体とリブ板ガラスとの取付状態を示す垂直断面図、図３は図１の板ガラスの支持構造における建築物の躯体とリブ板ガラスとの取付状態を示す側面図、図４は図１の板ガラスの支持構造におけるリブ板ガラスと支持部材との取付状態を示す分解斜視図である。
【００１６】
なお、これ以降、図１４〜図１７に示した例と同一または類似の部材については同一の符号を付して説明する。
【００１７】
この実施の形態では、直立した複数枚の板ガラス１、１、…の対向する上下横辺を支持枠１２によって支持し、隣り合う板ガラス１、１、…の非支持辺である縦辺どうしを突き合わせてガラス壁面２を構成している。隣り合う板ガラス１、１間の目地部（突き合わせ部）には、シーリング材４が充填されて接着され、これらの板ガラス１、１と直交する方向に立設されるリブ板ガラス３の一側端もシーリング材４で同様に接着されている。また、リブ板ガラス３の上部両面には、緩衝材８を介してリブ板ガラス３を支持する支持部材７を配置している。支持部材７のフランジ部９には、支持部材７を建築物の躯体６に固定するための貫通孔１０が穿設され、挿通部材（不図示）により躯体６に固定されている。
【００１８】
リブ板ガラス３には、リブ板ガラス３の板厚方向に貫通する２個の貫通孔５、５が垂直方向に並ぶように穿設されている。支持部材７には、リブ板ガラス３の貫通孔５、５に対峙するように２個の貫通孔１１、１１ａが穿設されており、リブ板ガラス３と支持部材７の対応する貫通孔には、ピンやボルトなどの挿通部材（不図示）が挿通され、リブ板ガラス３と支持部材７とが緊結されている。
【００１９】
ここで、支持部材７に穿設された貫通孔１１、１１ａのうち、上側に位置している貫通孔１１ａは、不図示の挿通部材の径より大きな長径を水平方向に配した長孔加工が施されている。一方、リブ板ガラス３に穿設された貫通孔５、５、および支持部材７に穿設された貫通孔１１は、不図示の挿通部材の径と略同一の直径を有している。建築物の躯体６が地震力等によりガラス壁面２の面外方向の層間変位を受ける際、支持部材７の上側の貫通孔１１ａが水平方向を長径とする長孔となっているので、リブ板ガラス３が下側の貫通孔５に挿通される挿通部材を回転軸として回転方向に変位することにより、ガラス壁面２の面外方向の層間変位に追従できる。
【００２０】
また、支持部材に穿設される貫通孔１１ａの形状を長軸方向に最大径を有する長孔のかわりに、全方向に等しく大径とされた真円としてもよい。
【００２１】
なお、強度上の理由や安全上の配慮からリブ板ガラスを合わせガラスとしてもよい。
【００２２】
他の実施の形態を図５〜８に示す。図５はこの実施の形態の板ガラスの支持構造の斜視図、図６は図５の板ガラスの支持構造における建築物の躯体とリブ板ガラスとの取付状態を示す垂直断面図、図７は図５の板ガラスの支持構造における建築物の躯体とリブ板ガラスとの取付状態を示す側面図、図８は図５の板ガラスの支持構造におけるリブ板ガラスと支持部材との取付状態を示す分解斜視図である。
【００２３】
この実施の形態では、リブ板ガラス３には、リブ板ガラス３の板厚方向に貫通する２個の貫通孔５、５ａが垂直方向に並ぶように穿設されている。支持部材７には、リブ板ガラス３の貫通孔５、５ａに対峙するように２個の貫通孔１１、１１が穿設されており、リブ板ガラス３と支持部材７の対応する貫通孔には、ピンやボルトなどの挿通部材（不図示）が挿通され、リブ板ガラス３と支持部材７とが緊結されている。
【００２４】
ここで、リブ板ガラス３に穿設された貫通孔５、５ａのうち、上側に位置している貫通孔５ａは、不図示の挿通部材の径より大きな長径を水平方向に配した長孔加工が施されている。一方、リブ板ガラス３に穿設された貫通孔５、および支持部材７に穿設された貫通孔１１、１１は、不図示の挿通部材の径と略同一の直径を有している。建築物の躯体６が地震力等によりガラス壁面２の面外方向の層間変位を受ける際、リブ板ガラス３の上側の貫通孔５ａが水平方向を長径とする長孔となっているので、リブ板ガラス３が下側の貫通孔５に挿通される挿通部材を回転軸として回転方向に変位することにより、ガラス壁面２の面外方向の層間変位に追従できる。
【００２５】
本例では、リブ板ガラス３に穿設された貫通孔５ａを長孔としたが、実際は、微小な変位を許容できればよいので、貫通孔５ａは挿通部材径を上回る大きな真円としてもよい。また、貫通孔５ａを真円とすれば、リブ板ガラス３の貫通孔５ａの孔加工も容易である。
【００２６】
なお、図５〜図８に示す板ガラスの支持構造において、その他の構成は図１〜図４の例と同様である。
【００２７】
図９、図１０は本発明の板ガラスの支持構造のさらに他の実施の形態を示す斜視図である。
【００２８】
図９に示す板ガラスの支持構造では、リブ板ガラス３には、リブ板ガラス３の板厚方向に貫通する２個の貫通孔５、５が水平方向に並ぶように穿設されている。その他の構成は、支持部材７に穿設された１個の貫通孔１１ａに、不図示の挿通部材の直径より大きな長径を垂直方向に配した長孔加工が施されているほか、図１〜図４に示す例と同様である。したがって、支持部材７の１個の貫通孔１１ａが垂直方向を長径とする長孔となっているため、建築物の躯体６が地震力等によりガラス壁面２の面外方向の層間変位を受ける際、リブ板ガラス３が板ガラス１側の貫通孔５に挿通される挿通部材を回転軸として回転方向に変位することにより、ガラス壁面２の面外方向の層間変位に追従できる。
【００２９】
同様に、図１０に示す板ガラスの支持構造では、リブ板ガラス３には、リブ板ガラス３の板厚方向に貫通する２個の貫通孔５、５ａが水平方向に並ぶように穿設されている。その他の構成は、リブ板ガラス３に穿設された１個の貫通孔５ａに、不図示の挿通部材の径より大きな長径を垂直方向に配した長孔加工が施されているほか、図５〜図８に示す例と同様である。したがって、リブ板ガラス３の１個の貫通孔５ａが垂直方向を長径とする長孔となっているため、建築物の躯体６が地震力等によりガラス壁面２の面外方向の層間変位を受ける際、リブ板ガラス３が板ガラス１側の貫通孔５に挿通される挿通部材を回転軸として回転方向に変位することにより、ガラス壁面２の面外方向の層間変位に追従できる。
【００３０】
以上、本発明の実施の形態について詳述してきたが、本発明の板ガラスの支持構造の具体的な構成は上述した実施の形態のみに限定されず、本発明の趣旨を逸脱しない範囲で種々変更を加えうる。
【００３１】
すなわち、図１〜１０において、リブ板ガラス３に穿設される貫通孔５および支持部材７に穿設される貫通孔１１をそれぞれ２個としているが、貫通孔５および貫通孔１１を２個以上のｎ個ずつとし、リブ板ガラス３に穿設される長孔５ａまたは支持部材７に穿設される長孔１１ａを（ｎ−１）個としてもよい。
【００３２】
図１１は、リブ板ガラス３および支持部材７のそれぞれに、垂直方向に並ぶように３個の貫通孔を穿設した例である。
【００３３】
この例では、支持部材７に穿設された３個の貫通孔のうち、上側および下側に位置する２個の貫通孔１１ａ，１１ａに、不図示の挿通部材の径より大きな長径を水平方向に配した長孔加工が施し、上下方向で中央に設けられた残る１個の貫通孔１１、およびリブ板ガラス３に穿設された貫通孔５，５，５は、不図示の挿通部材の径と略同一の直径を有している。
【００３４】
これにより、リブ板ガラス３が上下方向で中央に設けられた貫通孔５に挿通される挿通部材を回転軸として回転方向に変位することができ、ガラス壁面２の面外方向の層間変位に追従できる。
【００３５】
同様に、図１２は、リブ板ガラス３および支持部材７のそれぞれに、垂直方向および水平方向に２列ずつ合計４個の貫通孔を穿設した例である。
【００３６】
この例では、支持部材７に穿設された４個の貫通孔のうち、板ガラス１側寄りかつ下側に位置する１個の貫通孔１１、およびリブ板ガラス３に穿設された４個の貫通孔５，５，５，５は、不図示の挿通部材の径と略同一の直径を有している。一方、支持部材７に穿設された残る３個の貫通孔のうち、板ガラス１側寄りかつ上側の貫通孔１１ａは不図示の挿通部材の径より大きな長径を水平方向に配した長孔加工が施され、室内Ａ側寄りかつ下側の貫通孔１１ａは不図示の挿通部材の径より大きな長径を垂直方向に配した長孔加工が施され、室内Ａ側寄りかつ上側の貫通孔１１ａは不図示の挿通部材径を上回る大きな真円とされている。
【００３７】
これにより、リブ板ガラス３が板ガラス１側寄りかつ下側に位置する貫通孔５に挿通される挿通部材を回転軸として回転方向に変位することにより、ガラス壁面２の面外方向の層間変位に追従できる。
【００３８】
また、ガラス壁面２（板ガラス１）の面外方向の層間変位を受ける際にリブ板ガラス３の回転中心となる不図示の挿通部材と略同径の貫通孔５（貫通孔１１）は、図１〜図１０に示す位置でなくてもよい。例えば、図１において、支持部材７の上側の貫通孔を不図示の挿通部材と略同径の真円とし、下側の貫通孔を水平方向を長径とする長孔としてもよい。
【００３９】
なお、少なくとも１つの大径孔が挿通部材と略同径の貫通孔に対して、室内側（板ガラス１側と反対の側）および／または上側に位置するように設けられることが好ましい。
【００４０】
また、本発明は、図１３に示すようにリブ板ガラス３と板ガラス１とが、金属部品１３を用いて固定されている場合でも同様の効果を得ることができる。
【００４１】
【発明の効果】
本発明によれば、簡単な構造でありながら、建築物の躯体が地震力等によりガラス壁面（板ガラス）の面外方向の層間変位を受ける際、リブ板ガラスが回転方向に変位することにより、ガラス壁面の面外方向の層間変位に追従できる。
【図面の簡単な説明】
【図１】本発明の板ガラスの支持構造の実施の形態の一例を示す斜視図。
【図２】図１の板ガラスの支持構造における、建築物の躯体とリブ板ガラスとの取付状態を示す垂直断面図。
【図３】図１の板ガラスの支持構造における、建築物の躯体とリブ板ガラスとの取付状態を示す側面図。
【図４】図１の板ガラスの支持構造における、リブ板ガラスと支持部材との取付状態を示す分解斜視図。
【図５】本発明の板ガラスの支持構造の他の実施の形態の一例を示す斜視図。
【図６】図５の板ガラスの支持構造における、建築物の躯体とリブ板ガラスとの取付状態を示す垂直断面図。
【図７】図５の板ガラスの支持構造における、建築物の躯体とリブ板ガラスとの取付状態を示す側面図。
【図８】図５の板ガラスの支持構造における、リブ板ガラスと支持部材との取付状態を示す分解斜視図。
【図９】本発明の板ガラスの支持構造の他の実施の形態の一例を示す斜視図。
【図１０】本発明の板ガラスの支持構造の他の実施の形態の一例を示す斜視図。
【図１１】本発明の板ガラスの支持構造で貫通孔を３個とした実施の形態の一例を示す斜視図。
【図１２】本発明の板ガラスの支持構造で貫通孔を４個とした実施の形態の一例を示す斜視図。
【図１３】本発明の板ガラスの支持構造でリブ板ガラスと板ガラスとを金属部品を用いて固定した実施の形態の一例を示す斜視図。
【図１４】従来の板ガラスの支持構造の一例を示す斜視図。
【図１５】図１４の板ガラスの支持構造における、建築物の躯体とリブ板ガラスとの取付状態を示す垂直断面図。
【図１６】図１４の板ガラスの支持構造における、建築物の躯体とリブ板ガラスとの取付状態を示す側面図。
【図１７】図１４の板ガラスの支持構造における、リブ板ガラスと支持部材との取付状態を示す分解斜視図。
【符号の説明】
１：板ガラス
２：ガラス壁面
３：リブ板ガラス
４：シーリング材
５：リブ板ガラスの貫通孔
５ａ：長孔加工を施したリブ板ガラスの貫通孔
６：建築物の躯体
７：支持部材
８：緩衝材
９：支持部材のフランジ部
１０：フランジ部の貫通孔
１１：支持部材の貫通孔
１１ａ：長孔加工を施した支持部材の貫通孔
１２：支持枠
１３：金属部品
【図１】
2004293099.tif 000003
【図２】
2004293099.tif 000004
【図３】
2004293099.tif 000005
【図４】
2004293099.tif 000006
【図５】
2004293099.tif 000007
【図６】
2004293099.tif 000008
【図７】
2004293099.tif 000009
【図８】
2004293099.tif 000010
【図９】
2004293099.tif 000011
【図１０】
2004293099.tif 000012
【図１１】
2004293099.tif 000013
【図１２】
2004293099.tif 000014
【図１３】
2004293099.tif 000015
【図１４】
2004293099.tif 000016
【図１５】
2004293099.tif 000017
【図１６】
2004293099.tif 000018
【図１７】
2004293099.tif 000019